(57)【特許請求の範囲】
【請求項１】
本体と蓋部を有するハンディターミナルに使用されるメンブレンスイッチであって、
前記メンブレンスイッチは、前記本体に搭載される一方のスイッチ面と、前記蓋部に搭載される他方のスイッチ面と、両スイッチ面を接続する、電位の異なる複数の配線パターンを有するヒンジ部とからなり、
前記ヒンジ部おいて、
同じ電位の配線パターン同士を隣接させてグループ化し、
前記グループ間にスリットを配し、
前記スリットの端面を保護するための保護用シートを前記ヒンジ部の裏面に配する
ことを特徴とするメンブレンスイッチ。
【請求項２】
前記保護用シートの端面を前記両スイッチ面の裏面に配することを特徴とする、請求項１に記載のメンブレンスイッチ。
【請求項３】
前記ヒンジ部における、前記グループ間の間隔を５ｍｍ以上としたことを特徴とする請求項１に記載のメンブレンスイッチ。
【請求項４】
前記ヒンジ部において、前記配線パターン上に、コーティング加工を施したことを特徴とする請求項１に記載のメンブレンスイッチ。
【請求項５】
一方のスイッチ面と、他方のスイッチ面と、両スイッチ面を接続する、電位の異なる複数の配線パターンを有するヒンジ部からなるメンブレンスイッチをもちいたハンディターミナルであって、
前記ハンディターミナルは、前記一方のスイッチ面と前記他方のスイッチ面をそれぞれ、前記ハンディターミナルの本体と蓋部に搭載し、
前記メンブレンスイッチのヒンジ部において、
同じ電位の配線パターン同士を隣接させてグループ化し、
前記グループ間にスリットを配し、
前記スリットの端面を保護するための保護用シートを前記ヒンジ部の裏面に配する
ことを特徴とするハンディターミナル。
【請求項６】
前記保護用シートの端面を前記両スイッチ面の裏面に配することを特徴とする、請求項５に記載のハンディターミナル。
【請求項７】
前記ヒンジ部における、前記グループ間の間隔を５ｍｍ以上としたことを特徴とする請求項５に記載のハンディターミナル。
【請求項８】
前記ヒンジ部において、前記配線パターン上に、コーティング加工を施したことを特徴とする請求項５に記載のハンディターミナル。
【発明の詳細な説明】
【０００１】
【発明の属する技術分野】
本発明は、外食関係（レストラン、居酒屋、ファーストフード等）で使用するシステムの１つ、ハンディターミナルの入力機器メンブレンスイッチの構造に関する。
【０００２】
【従来の技術】
従来、外食関係（レストラン、居酒屋、ファーストフード等）で使用するシステムの１つ、ハンディターミナルは、長年使用していると、メンブレンスイッチのキー入力不良という現象がでることがあった。そのほとんどの原因が、メンブレンスイッチのヒンジ部分からの水分進入によるマイグレーションであった。
【０００３】
【発明が解決しようとする課題】
従来の、ハンディターミナルのメンブレンスイッチは、長年使用していると（使用頻度にもよるが）ヒンジ部分において複数枚重ね貼りをしているメンブレンスイッチの構造上、どうしても内側と外側のシートまたはフィルム間において隙間が生じてくる。その隙間に水分が進入し、パターン間に水分でブリッジができ、マイグレーションという銀特有の増殖が起こり、異パターンをショートさせてしまうという問題があった。
【０００４】
【課題を解決するための手段】
本発明のメンブレンスイッチでは、水分の進入を防止するばかりでなく、進入してもパターンショートの原因となるマイグレーションを発生させないための、異電位パターンを遠ざけるレイアウト、さらに異電位パターン間の水分ブリッジを遮断するための異電位間のスリット設置をすることにより、より厳しい環境での使用に於いてもキー入力の誤動作を無くすようにした。
【０００５】
【発明の実施の形態】
本発明は、シートまたはフィルムに銀でマトリクス状に回路パターンを印刷し複数枚重ね貼りしたメンブレンスイッチの基本構造は変えられないので、ヒンジ部分の回路レイアウト設計時点で、電位差のあるパターンは、すぐ隣にはレイアウトせず、同じ電位のパターンどうしは近くを通し、違う電位のパターンは、その電位のパターンで集め、異電位パターンどうしは、その距離を離すことにより、異電位パターン間に水分のブリッジができないようにし、水分進入によって発生するマイグレーションの予防策をした。さらに異電位パターン間にスリットを設けることにより、異電位パターン間の水分のブリッジを完全に不可能にした。
【０００６】
また、屈曲によるパターン上のカーボンの保護の為と水分とパターンの直接接触を防止するために、レジストによるコーティングも施した。さらにスリットを入れたヒンジ部のシートまたはフィルムの端面保護の為に外側にもシートまたはフィルムを貼り付け、その端面は、メンブレンスイッチをハンディターミナルに貼り付ける際、自動的にもぐりこむようにし、防水構造とした。
【０００７】
【実施例】
実施例について図面を参照して説明すると、まず最初に図１において、メンブレンスイッチ１１の使用例を示す。ブックタイプの見開き構造をしたハンディターミナル１２に貼り付けられたメンブレンスイッチ１１は、制御基板に接続される左面１３とヒンジ部分２１ａを介してふた１４の部分に貼り付けた右面１５の２つ部分に分かれている。ハンディターミナルは、使用上、ハンディターミナルの２つのヒンジ１６ａ、１６ｂを中心に見開き回転をする。右面１５の信号も左面１３に接続されている制御基板へつながるため、ヒンジ部分２１ａにもパターン２２，２３，２４，２５，２６，２７，２８，２９が通っていて、ハンディターミナル１２のふた１４を開閉するたびにメンブレンスイッチ１１のヒンジ部分２１ａも屈曲することになる。そのヒンジ部分２１ａについて詳細実施例を示す。図２にメンブレンスイッチ１１単体の概略図を示す。メンブレンスイッチ１１の回路パターンの電位の種類は、２通りある。ヒンジ部２１ａの回路パターンのレイアウトは、同じ電位パターン２２，２３，２４，２５を１つにまとめ、グループを作り、異電位パターン２６，２７，２８，２９は、それと同じ電位パターンでグループを作り、そのグループ間の距離を長くとることにより、水分がヒンジ部のシート間に進入した時でも、異電位パターン間の水分のブリッジ形成を防ぐ。特に、グループ間の距離を５ｍｍ以上にすると、効果が大きい。さらに異電位パターンのグループ間にスリット３０を設けることにより、完全に水分のブリッジを遮断できる。このスリットを設けることにより、異電位パターンのグループ間の距離が十分にとれない場合でも、水分のブリッジの形成対策をすることが可能になる。また、同電位パターンでも水分の進入によるパターンと水分の直接接触を防止するため、パターンの上面には、レジストによるコーティングを施し、腐食対策を実施した。また使用環境上、ハンディターミナル本体は、ポケットなどに入れることが多いため、その際のこすれ等による破損防止の為、ヒンジ部２１ａのスリット３０の端面保護として最外側にシート３３を貼ることによりそれらを可能にした。またそのシート３３を貼り付ける際、端面をメンブレンスイッチの下に入れ込むことにより、ハンディターミナルにメンブレンスイッチを貼り付けると自動的にメンブレンスイッチ全体の粘着材により端面は、押さえ込まれ、めくれが防止され、ヒンジ部の外側からの水分進入を防ぐ。
【０００８】
【発明の効果】
この発明は、以上説明したようにメンブレンスイッチのヒンジ部に於いて同電位パターン同士を１カ所に集中させグループを作り、異電位パターンのグループとの距離を長くとることで、シートまたはフィルムの隙間に水分が進入しても異電位パターン間に発生するマイグレーションを起こさせないという効果がある。
【０００９】
またさらに異電位パターンのグループ間にスリットを設けることにより、異電位パターン間の水分のブリッジを遮断することにより、マイグレーション発生をより強く押さえる効果がある。また、パターンそのものにレジストでコーティングすることで、水分とパターンが直接接触するのを防止し、パターン自体の腐食を起こさせないという効果がある。また、ヒンジ部の最外側にさらにシートを貼ることにより、使用環境上でのスリット部端面のめくれ、外側からの水分の進入を防ぐ効果がある。
【図面の簡単な説明】
【図１】本発明のメンブレンスイッチ使用図である。
【図２】本発明のメンブレンスイッチ構造図である。
【図３】本発明のメンブレンスイッチヒンジ部の断面図である。
【符号の説明】
１１  メンブレンスイッチ
１２  ハンディターミナル
１３  メンブレンスイッチ左面（キー入力部）
１４  ハンディターミナルのふた
１５  メンブレンスイッチ右面（キー入力部）
２１ａ  メンブレンスイッチヒンジ部
２２  回路パターン
２３  回路パターン
２４  回路パターン
２５  回路パターン
２６  回路パターン
２７  回路パターン
２８  回路パターン
２９  回路パターン
３０  スリット
３１  ハンディターミナルのふた
３２  ハンディターミナル本体
３３  シート
【図１】
0003852730.tif 000002
【図２】
0003852730.tif 000003
【図３】
0003852730.tif 000004